【手続補正書】
【提出日】平成26年1月6日(2014.1.6)
【手続補正１】
【補正対象書類名】特許請求の範囲
【補正対象項目名】全文
【補正方法】変更
【補正の内容】
【特許請求の範囲】
【請求項１】
圧力を分配するための流体を収容するために配置された内容積を有する容器を含む圧力分配パッケージであって、前記容器が容器開口部を含む、圧力分配パッケージと、
前記容器開口部の近傍において前記容器と係合するように構成された分配アセンブリであって、
前記内容積に露出している気体抽出開口部と、
前記内容積に露出している液体抽出開口部と、
前記気体抽出開口部と気体出口との間に延びる気体抽出導管と、
前記液体抽出開口部と液体出口との間に延びる液体抽出導管と、を含み、
前記気体抽出導管は前記液体抽出導管とは別個のものである、分配アセンブリと、を含む、流体分配システム。
【請求項２】
前記気体抽出開口部が前記液体抽出開口部の上のレベルに配置される、請求項１に記載の流体分配システム。
【請求項３】
前記気体抽出導管と前記液体抽出導管が単一式コネクタ内に画定される、請求項１又は２に記載の流体分配システム。
【請求項４】
前記分配アセンブリが、前記内容積に延びるように配置された浸漬管を含み、前記浸漬管は前記液体抽出開口部を画定する、請求項１〜３のいずれか１項に記載の流体分配システム。
【請求項５】
前記圧力分配パッケージが前記内容積を囲み、かつ前記流体を保持するように構成された可撓性のある材料からなる折りたたみ可能なライナを含み、
前記容器が前記可撓性のある材料に比べて実質的により剛性のある壁材料を有するオーバーパックコンテナを含み、
前記ライナが前記オーバーパックコンテナ内に配置された、請求項４に記載の流体分配システム。
【請求項６】
前記分配アセンブリが、前記オーバーパックコンテナと前記ライナとの間の間隙空間に流体連通している加圧気体導管を含み、前記加圧気体導管が加圧気体を前記間隙空間に供給するために配置された、請求項５に記載の流体分配システム。
【請求項７】
前記気体抽出導管と、前記液体抽出導管と、前記加圧気体導管は単一式コネクタ内に画定される、請求項６に記載の流体分配システム。
【請求項８】
前記分配アセンブリが、前記容器開口部の近傍のライナ取り付け部と、前記ライナ取り付け部に接触するように配置された取り付け部アダプタとを含み、前記取り付け部アダプタが、
前記浸漬管を受容するために配置された少なくとも下部部分を含む長手方向の穴であって、前記液体抽出導管と流体連通している長手方向の穴と、
前記気体抽出開口部と前記気体抽出導管との間に配置される側方穴と、を含む、請求項６に記載の流体分配システム。
【請求項９】
前記分配アセンブリが、前記気体抽出導管の少なくとも一領域を画定する、および少なくとも前記液体抽出導管の領域を画定するコネクタを含み、前記コネクタの一部は前記分配アセンブリに挿入可能であり、前記長手方向の穴の上部部分と密閉的に係合する、請求項８に記載の流体分配システム。
【請求項１０】
前記長手方向の穴の前記上部部分は、直径が前記長手方向の穴の前記下部部分と異なる、請求項９に記載の流体分配システム。
【請求項１１】
前記分配アセンブリが、前記容器を係合するために配置されたクロージャを含み、前記ライナ取り付け部および前記取り付け部アダプタが前記クロージャによって保持される、請求項９に記載の流体分配システム。
【請求項１２】
前記浸漬管が前記長手方向の穴にプレスばめされる、請求項８に記載の流体分配システム。
【請求項１３】
前記長手方向の穴が、前記長手方向の穴に挿入された浸漬管を圧縮的に保持するために配置された、上昇ら旋圧縮機能を含む、請求項８に記載の流体分配システム。
【請求項１４】
前記前記長手方向の穴の少なくとも下部部分に関連する開口を画定する連結器をさらに含み、前記連結器は前記浸漬管を受容するために配置され、前記連結器の前記開口は前記浸漬管と流体連通している、請求項８に記載の流体分配システム。
【請求項１５】
前記液体出口と流体連通しているリザーバをさらに含む、請求項３〜１４のいずれか１項に記載の流体分配システム。
【請求項１６】
前記リザーバが、前記コネクタと別個のものであり、前記コネクタの下流側に配置されるリザーバ本体内に画定される、請求項１５に記載の流体分配システム。
【請求項１７】
前記リザーバが、液体の通過を可能にするが、気泡の通過を防ぐように構成されたろ過媒体を含み、前記リザーバは前記ろ過媒体を通過する液体を受容するために配置された液体出口を有する、および前記ろ過媒体を通過することを妨げられた気泡から蓄積された気体を受容するために配置された気体出口を有する、請求項１５に記載の流体分配システム。
【請求項１８】
前記圧力分配パッケージの空の状態または空の状態への接近を検出するように構成された空検出装置をさらに含む、請求項１〜１７のいずれか１項に記載の流体分配システム。
【請求項１９】
前記空検出装置は、前記圧力分配パッケージから分配される流体の圧力降下を検出し、対応する出力信号を反応的に発生させるように構成された圧力変換器を含む、請求項１８に記載の流体分配システム。
【請求項２０】
前記圧力分配パッケージから分配される液体内の気泡の存在を示す出力信号を発生させるように作動可能な気泡センサをさらに含む、請求項１〜１７のいずれか１項に記載の流体分配システム。
【請求項２１】
前記圧力分配パッケージから前記流体が空になったまたはほぼ空になったとき、前記圧力分配パッケージから得た流体を供給するように構成された切換リザーバをさらに含む、請求項１〜１７のいずれか１項に記載の流体分配システム。
【請求項２２】
液体を含む源材料を、前記源材料を収容するために配置された内容積を画定するライナを収容するオーバーパックコンテナを含むライナ式圧力分配パッケージから分配するために配置されたコネクタであって、前記内容積から気体を抽出するために配置された気体抽出導管と、前記内容積から液体を抽出するために配置された液体抽出導管と、前記ライナと前記オーバーパックコンテナとの間の間隙空間に気体を供給するために配置された加圧気体導管とを含む、コネクタ。
【請求項２３】
圧力を分配するための流体を収容するために配置された内容積を有する容器を含む圧力分配パッケージにおいて使用するために配置された構造であって、前記容器が容器開口部を含み、前記構造が、
長手方向の穴と気体抽出開口部とを画定する本体であって、前記長手方向の穴の下部部分は、前記内容積内に延びるように配置された浸漬管を受容するように配置され、かつ液体抽出開口部を有し、前記長手方向の穴の上部部分はコネクタを受容するために配置され、前記コネクタは気体出口と流体連通している気体抽出導管を画定し、かつ液体出口と流体連通している液体抽出導管を画定する、本体を含み、
前記気体抽出開口部が前記内容積に露出しているとともに、前記気体抽出導管と流体連通しており、前記液体抽出開口部が前記内容積に露出しているとともに、前記液体抽出導管と流体連通している、構造。
【請求項２４】
圧力を分配するための流体を収容するように配置された内容積を有する容器を含む圧力分配パッケージを使用する方法であって、
気体抽出導管と液体抽出導管を画定するコネクタを（ｉ）前記内容積に露出している液体抽出開口部との流体連通を可能にするために配置された長手方向の穴と、（ｉｉ）前記内容積に露出している気体抽出開口部との流体連通を可能にするために配置された側方穴とを画定する分配アセンブリ内に挿入するステップであって、前記分配アセンブリ内に前記コネクタを挿入する前記ステップは、（ａ）前記液体抽出導管と前記液体抽出開口部との間、および（ｂ）前記気体抽出導管と前記気体抽出開口部との間の流体連通を同時に実施する、ステップと、
前記気体抽出開口部と前記気体抽出導管を通して前記内容積から気体を抽出するステップと、液体を前記液体抽出開口部と前記液体抽出導管を通して前記内容積から圧力分配するステップと、を含む、方法。
【請求項２５】
液体流から気体を除去するように構成された気体除去装置であって、
液体の通過を可能にするが、気泡の通過を防ぐように構成されたろ過媒体を中に含む内容積を画定するリザーバ本体であって、前記リザーバ本体は、流体入口を有する、前記ろ過媒体を通過する液体を受けるために配置された液体出口を有する、および前記ろ過媒体を通過することを妨げられた気泡から蓄積された気体を受けるために配置された気体出口を有する、リザーバ本体と、
前記内容積とセンサ連通しており、かつ前記内容積内の圧力を示す出力信号を発生させるように配置された圧力変換器と、を含む、気体除去装置。
【請求項２６】
（ａ）圧力分配パッケージのオーバーパックコンテナ内に配置される折りたたみ可能なライナの内容積内から気体を排出するステップであって、前記ライナは液体をさらに含み、前記気体は気体抽出導管を通じて排出され、気体出口が分配アセンブリ内に画定される、ステップと、
（ｂ）前記ライナを圧縮するために前記ライナと前記オーバーパックコンテナとの間の間隙空間に加圧気体を供給し、それによって前記分配アセンブリ内に画定される液体抽出導管と液体出口とを通じて前記内容積から液体を分配するステップであって、前記液体抽出導管は前記気体抽出導管とは異なるステップと、
（ｃ）前記液体出口で受けた液体を前記分配アセンブリの下流側に配置されたリザーバ本体を通して流すステップであって、前記リザーバ本体は、液体の通過を可能にするが、気泡の通過を防ぐように構成されたろ過媒体を中に含む内容積を画定し、前記リザーバ本体は、前記ろ過媒体を通過する液体を受容するために配置されたリザーバ液体出口を有するとともに、前記ろ過媒体を通過することを妨げられた気泡から蓄積された気体を受容するために配置されたリザーバ気体出口を有する、ステップと、
（ｄ）前記リザーバ気体出口から気体を排出するステップと、を含む、方法。
【請求項２７】
流体回路内の流体の存在または流動流体の相変化を検出するように構成された装置であって、
前記流体回路内の第１の位置において前記流体とセンサ連通している第１のサーミスタであって、前記第１のサーミスタの検出部が気体に曝露すると、前記第１のサーミスタが自己加熱するのに十分な第１の電流レベルで駆動されるように配置された第１のサーミスタと、
前記流体回路内の第２の位置において前記流体とセンサで連通している第２のサーミスタであって、前記第１の電流レベルよりも実質的に低い第２の電流レベルで駆動されるように配置された第２のサーミスタと、
前記第１のサーミスタの第１の出力信号および前記第２のサーミスタの第２の出力信号を受信するために、ならびに前記第１の出力信号と前記第２の出力信号との比較を基に前記流体回路内における流体の存在または流動流体の相変化を判定するために配置された信号処理要素と、を含む、装置。
【請求項２８】
前記流体回路内の第１の位置において前記流体とセンサ連通している第１のサーミスタを使用して、および前記流体回路内の第２の位置において前記流体とセンサ連通している第２のサーミスタを使用して、流体回路内の流体の存在または流動流体の相変化を検出するための方法であって、
前記第１のサーミスタの検出部が気体に曝露すると、前記第１のサーミスタを前記第１のサーミスタが自己加熱するのに十分な第１の電流レベルで駆動するステップと、
前記第２のサーミスタを前記第１の電流レベルよりも実質的に低い第２の電流レベルで駆動するステップと、
前記第１のサーミスタの第１の出力信号と前記第２のサーミスタの第２の出力信号とを比較し、そのような比較に基づき前記流体回路内における流体の存在または流動流体の相変化を判定するステップと、を含む、方法。
【請求項２９】
流体回路内の流体の存在または流動流体の相変化を検出するように構成された装置であって、
前記流体回路内の第１の位置において流体に熱を放散するように配置された発熱体と、
前記第１の発熱体および前記流体とセンサ連通して配置され、かつ前記第１の発熱体の温度と相関する第１の検出素子の出力信号を発生させるように構成された、第１の検出素子と、
前記流体回路内の第２の位置において前記流体とセンサ連通して配置され、かつ前記第２の位置にある前記流体の温度と相関する第２の検出素子の出力信号を発生させるように構成された、第２の検出素子と、
前記第１の検出素子の出力信号と前記第２の検出素子の出力信号を受信するため、および前記第１の検出素子の出力信号と前記第２の検出素子の出力信号との比較を基に前記流体回路内における流体の存在または流動流体の相変化を判定するために配置された信号処理要素と、を含む、装置。
【請求項３０】
使用箇所に流体を分配するために配置された流体分配システムであって、
圧力媒介式分配のための流体を収容するように配置された第１の内容積を有する第１の容器を含む第１の圧力分配装置と、
圧力媒介式分配のための流体を収容するように配置された第２の内容積を有する第２の容器を含む第２の圧力分配装置と、
前記第１の内容積または前記第２の内容積の少なくとも１つから流体を受容するために配置された少なくとも１つの排出可能なリザーバと、
前記第１の圧力分配装置からの所望の量の流体の分配と相関する、または前記第１の圧力分配装置によって分配される流体の気体飽和への接近と相関する出力信号を発生させるために配置された、少なくとも１つの検出素子と、
前記出力信号または前記出力信号から得られる信号に応答して、前記第２の圧力分配装置から分配される流体を前記第１の圧力分配装置から分配される流体と組み合わせるための前記第２の圧力分配装置から流体を分配するために配置された少なくとも１つの制御要素と、
前記第１の圧力分配装置から分配される流体を受容するため、前記第２の圧力分配装置から流体を受容するため、および前記流体を前記使用箇所に運搬するために配置された分配導管と、を含む、流体分配システム。
【請求項３１】
第１の内容積を画定する第１の容器を含む第１の圧力分配装置から流体を分配し、前記第１の圧力分配装置から分配される前記流体から気体を除去するステップと、
前記第１の圧力分配装置からの所望の量の流体の分配と相関する、または前記第１の圧力分配装置によって分配される流体の気体飽和への接近と相関する状態を検出し、出力信号を発生させるステップと、
前記出力信号または前記出力信号から得られる信号に応答して、内容積を画定する第２の容器を含む第２の圧力分配装置から流体を分配し、前記第２の圧力分配装置から分配される前記流体から気体を除去するステップと、
前記第２の圧力分配装置から分配される流体の流れを前記第１の圧力分配装置から分配される流体の流れと組み合わせ、前記組み合わせ流を使用箇所に分配するステップと、を含む、流体を分配する方法。